(57)【要約】      （修正有）【課題】ケースの美観を損ねない方法でスマートフォンを固定する構造を有するスマートフォンケースを提供する。【解決手段】底面部１０と側面の三面には側壁部２０を前記底面部１０に立設し、側面の他の一面は開口し、前記側壁部２０の上端に設けられた上面枠部３０からなるスマートフォンケース本体１及び、前記開口には、中央部にジャックを通す長方形の穴と該穴の両側にスマートフォン２を固定するためのネジを通す穴を形成したプレート３及び、前記開口を覆い、中央部にジャックを通す長方形の穴と該穴の両側にプレート３を固定するためのネジを通す穴を形成したふたＡ４を有すると共に、前記開口の底面部１０、若しくは上面枠部３０には前記ふたＡ４の厚さ分中に入った位置にプレート３をはめ込む溝４０を形成した。【選択図】図３
0003180400.tif 000002
【実用新案登録請求の範囲】
【請求項１】
プレートとケース底面、若しくは上面に掘り込んだ溝を利用し、スマートフォンを内部に固定することを特徴とするスマートフォンケース。
【考案の詳細な説明】
【技術分野】
【０００１】
本考案は、プレートを利用し、スマートフォンを内部に固定することを特徴とするスマートフォンに用いるケースに関する。
【背景技術】
【０００２】
スマートフォンは無線通信サービスの提供を受けるための現代人の必須品として定着しているが、その機器の保護機能と共に、飾りとしての機能を有するスマートフォンケースが装着使用される。
【０００３】
上記スマートフォンケースはディスプレイ部、各種ジャック部を覆わない条件化で機器を覆う形態で構成され、飾りとしての機能もあるため、スマートで美麗な外観を要求される。
【０００４】
また上記スマートフォンケースに用いられる素材は廉価帯の商品では樹脂が多用され構造としてはその柔軟性を利用し特許第4263766号のようにはめ込むタイプが多く見られる。
【０００５】
一方、素材に高付加価値な金属や木材などを用いる場合、柔軟性がなく、若しくは若干あってもその素材の脆弱性のため上記のような構造は適さず、従来例をあらわす図１１のように外周をネジ止めするものや、背板を重ねて摩擦で固定する従来例をあらわす図１２のような方法が主であった。
【考案の概要】
【考案が解決しようとする課題】
【０００６】
しかしながらこれらの場合、ネジのスペースの確保のためにフレーム側面が厚くなってしまい、逆にスイッチのある部分は薄く作る必要があるため、全体として歪な形になってしまったり、大径のネジが目立ってしまったり、また正面から見た場合に割れ目が目立ってしまうなど、ケースとしての美観に欠点となる構造が多かった。
そこで、この考案は、これらの問題を最小限にすることを課題とする。
【課題を解決するための手段】
【０００７】
以上の課題を解決するために、考案は面積の小さく目立たない面に構造を集中させ、プレートと内部に掘り込まれた溝を利用することによって、美観を損ねない方法で固定する構造を特徴とするケースである。
【考案の効果】
【０００８】
本考案によれば、固定するための構造が目立たず集中しているためにケースとしての美観を向上させることができ、ケース自体の側面の厚さをネジのスペースを必要としないために比較的薄くできるとともに、その形状のためにケースの固定に必要な引き抜き強度が小さくなるため、比較的小径なネジで固定することができ、また正面、背面から見た場合の接合のために生じる割れ目を排除することができ、正面、背面から見た場合の側面の凹凸がなく、外観上、スマートで美麗な外観を持つため、美麗さを重視する製品品質の高級化を達成する。
【図面の簡単な説明】
【０００９】
【図１】この考案の実施例１で、スマートフォンをマートフォンケース本体にいれた状態を示す斜視図である。
【図２】この考案の実施例１で、スマートフォンをマートフォンケース本体にいれ、さらにプレートを取り付けた状態を示す斜視図である。
【図３】この考案の実施例１で、各部品の取り付け前の状態を示す斜視図である。
【図４】この考案の実施例１で、すべての部品を組み上げ、使用できる状態を示す斜視図である。
【図５】この考案の実施例１で、図４の点線部分の断面図である。
【図６】この考案の実施例２で、スマートフォンをマートフォンケース本体にいれた状態を示す斜視図である。
【図７】この考案の実施例２で、スマートフォンをマートフォンケース本体にいれ、さらにプレートを取り付けた状態を示す斜視図である。
【図８】この考案の実施例２で、各部品の取り付け前の状態を示す斜視図である。
【図９】この考案の実施例２で、すべての部品を組み上げ、使用できる状態を示す斜視図である。
【図１０】この考案の実施例３で、各部品の取り付け前の状態を示す斜視図である。
【図１１】従来例をあらわす斜視図である。
【図１２】従来例をあらわす斜視図である。
【考案を実施するための形態】
【００１０】
以下、本考案のプレートを利用し、スマートフォンを内部に固定することを特徴とするスマートフォンに用いるケースについての実施例を図を参照しながら説明する。本考案は下記実施例に限定されるものではない。
図１は本考案の実施例１で、スマートフォン２をマートフォンケース本体１にいれた状態を示す斜視図であり、図２はこの考案の実施例１で、スマートフォン２をマートフォンケース本体１にいれ、さらにプレート３を取り付けた状態を示す斜視図であり、図３はこの考案の実施例１で、各部品の取り付け前の状態を示す斜視図であり、図４はこの考案の実施例１で、すべての部品を組み上げ、使用できる状態を示す斜視図であり、図５はこの考案の実施例１で、図４の点線部分の断面図であり、図６は本考案の実施例２で、スマートフォン２をマートフォンケース本体１にいれた状態を示す斜視図であり、図７はこの考案の実施例２で、スマートフォン２をマートフォンケース本体１にいれ、さらにプレート３を取り付けた状態を示す斜視図であり、図８はこの考案の実施例２で、各部品の取り付け前の状態を示す斜視図であり、図９はこの考案の実施例２で、すべての部品を組み上げ、使用できる状態を示す斜視図であり、図１０はこの考案の実施例３の各部品の斜視図である。
【００１１】
図１〜５に示すように、本考案に係る実施例１のスマートフォンケース本体１は、スマートフォン２の後部を覆う底面部１０と側面三面を覆う側壁部２０、前部の枠を覆う上面枠部３０で形成され、側面の空いている側の底面部にはふたＡ４の厚さ分、中に入った位置を一端とする溝４０が掘り込まれている。
図１〜５に示すように、本考案に係る実施例１のプレート３は中央部にジャックを通すための長方形の穴が穿孔してあり、その両側にスマートフォン２に接合するためのネジを通すための穴が穿孔してある。
図１〜５に示すように、本考案に係る実施例１のふたＡ４は中央部にジャックを通すための長方形の穴が穿孔してあり、その両側にプレート３に接合するためのネジを通すための穴が穿孔してある。
【００１２】
図６〜９に示すように、本考案に係る実施例２のスマートフォンケース本体１は、スマートフォン２の後部を覆う底面部１０と側面三面を覆う側壁部２０、前部の枠を覆う上面枠部３０で形成され、側面の空いている側の底面部にはふたＡ４の厚さ分、中に入った位置を一端とする溝４０が掘り込まれている。
図６〜９に示すように、本考案に係る実施例２のプレート３は中央部にジャックを通すための長方形の穴が穿孔してあり、その両側にスマートフォン２に接合するためのネジを通すための穴が穿孔してある。
図６〜９に示すように、本考案に係る実施例２のふたＡ４は中央部にジャックを通すための長方形の穴が穿孔してあり、その両側にプレート３を挟んでスマートフォン２に接合するためのネジを通すための穴が穿孔してある。
【００１３】
図１０に示すように、本考案に係る実施例３のスマートフォンケース本体１は、スマートフォン２の後部を覆う底面部１０と側面三面を覆う側壁部２０、前部の枠を覆う上面枠部３０で形成され、底面部１０はふたＢ５の固定用枠部５０の厚さ分、スマートフォン２と同じ大きさに掘り込まれている。
図１０に示すように、本考案に係る実施例３のふたＢ５は中央部にジャックを通すための長方形の穴が穿孔してあり、その両側にプレート３を挟んでスマートフォン２に接合するためのネジを通すための穴が穿孔してあり、ふた上部には、固定用枠部５０が付随する。
【００１４】
このような構成を有する、本考案に係るスマートフォンケースの作用状態を述べる。
【００１５】
本考案は、プレート３を溝４０に掛合した状態でスマートフォン２にネジ止めすることによってスマートフォン２は底面部１０、側壁部２０、上面枠部３０、プレート３に囲まれ、スマートフォンケース本体１内部の所定の位置に固定される。
この際にプレート３をとめるネジと溝の位置から、引き抜く場合に力点ａ、支点ｂ、作用点ｃとするてこの原理が働くため、また従来の形と違い、外形に外部から引き抜く方向へ力をかけるための引っ掛かりがないため、従来の直接のネジ止めに比べて小さな引き抜き強度しか必要としなくなる。
その結果、従来のものよりもより小さなネジしか必要としないにもかかわらず、さらに強固にスマートフォン２を固定することができる。
またこの構造は、従来の様々なケースにあった正面、背面から見た場合の接合のために生じる割れ目を排除することができ、正面、背面から見た場合の側面の凹凸がなく、外観上、スマートで美麗な外観を持つため、美麗さを重視する製品品質の高級化を達成する。
【００１６】
図６〜９の本考案に係る実施例２では、材が比較的強度があり、薄い構造で作れてケーブルの邪魔にならず、ジャック部分の穴を広く取らなくてもいい場合、プレート３をはさんで直接スマートフォンに固定してしまうこともできる。
図１０の本考案に係る実施例３ではスマートフォン２を固定する部分の上面または底面を全体的に掘ってしまい、そこにスマートフォン２を落とし込んだ後、掘ったのとは逆の面に、ふたに固定された固定用枠部５０を挿入することによって固定することもできる。
【符号の説明】
【００１７】
１    スマートフォンケース本体
２    スマートフォン
３    プレート
４    ふたＡ
５    ふたＢ
１０  底面部
２０  側壁部
３０  上面枠部
４０  溝
５０  固定用枠部
ａ    力点
ｂ、  支点
ｃ    作用点
【図１】
0003180400.tif 000003
【図２】
0003180400.tif 000004
【図３】
0003180400.tif 000005
【図４】
0003180400.tif 000006
【図５】
0003180400.tif 000007
【図６】
0003180400.tif 000008
【図７】
0003180400.tif 000009
【図８】
0003180400.tif 000010
【図９】
0003180400.tif 000011
【図１０】
0003180400.tif 000012
【図１１】
0003180400.tif 000013
【図１２】
0003180400.tif 000014
【手続補正書】
【提出日】平成24年10月11日(2012.10.11)
【手続補正１】
【補正対象書類名】明細書
【補正対象項目名】０００７
【補正方法】変更
【補正の内容】
【０００７】
以上の課題を解決するために、考案は面積を小さく目立たない面に構造を集中させ、プレートと内部に掘り込まれた溝を利用することによって、美観を損ねない方法で固定する構造を特徴とするケースである。
本考案はスマートフォン（２）を収納するケースであって、底面部（１０）と側面の三面には側壁部（２０）を前記底面部（１０）に立設し、側面の他の一面は開口し、前記側壁部（２０）の上端に設けられた上面枠部（３０）からなるスマートフォンケース本体（１）及び、前記開口には、中央部にジャックを通す長方形の穴と該穴の両側にスマートフォン（２）を固定するためのネジを通す穴を形成したプレート（３）及び、前記開口を覆い、中央部にジャックを通す長方形の穴と該穴の両側にプレート（３）を固定するためのネジを通す穴を形成したふたＡ（４）を有すると共に、前記開口の底面部（１０）、若しくは上面枠部（３０）には前記ふたＡ（４）の厚さ分中に入った位置にプレート（３）をはめ込む溝（４０）を形成したことを特徴とするスマートフォンケースである。
【手続補正２】
【補正対象書類名】実用新案登録請求の範囲
【補正対象項目名】全文
【補正方法】変更
【補正の内容】
【実用新案登録請求の範囲】
【請求項１】
スマートフォン（２）を収納するケースであって、底面部（１０）と側面の三面には側壁部（２０）を前記底面部（１０）に立設し、側面の他の一面は開口し、前記側壁部（２０）の上端に設けられた上面枠部（３０）からなるスマートフォンケース本体（１）及び、前記開口には、中央部にジャックを通す長方形の穴と該穴の両側にスマートフォン（２）を固定するためのネジを通す穴を形成したプレート（３）及び、前記開口を覆い、中央部にジャックを通す長方形の穴と該穴の両側にプレート（３）を固定するためのネジを通す穴を形成したふたA（４）を有すると共に、前記開口の底面部（１０）、若しくは上面枠部（３０）には前記ふたA（４）の厚さ分中に入った位置にプレート（３）をはめ込む溝（４０）を形成したことを特徴とするスマートフォンケース。